【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
円板状平面部と円筒部とを有するカップ形状のロータであって、該平面部の中心位置に回転軸を備え、該円筒部の内壁面に駆動用マグネットを備え、該駆動用マグネットの端部より該平面部側に環状の空隙を形成しているロータと、
該回転軸を嵌合保持してロータを回転自在に支持する滑り軸受と、
該滑り軸受を保持する軸受保持部材と、
該駆動用マグネットに対向するように該軸受保持部材に固定されるステータコアと、該ステータコアを被覆する絶縁部材と、該ステータコアに該絶縁部材を介して巻回されるコイルとからなるステータと、を有し、
該絶縁部材は、弾性を有する材料からなり該ステータコア端面の外周部から該ロータの平面部側に伸びかつ先端に半径方向外方に突出する係合爪を備える伸張部を有し、該係合爪が該空隙内に位置しており、該ロータが軸線方向に移動するとき該空隙を構成する壁面に該係合爪が係合することにより該ロータが軸線方向に抜け出るのを防止することを特徴とするモータ。
【請求項２】
該ロータの円筒部と該駆動用マグネットとの間に磁性材からなる円筒状のバックアイアンが介在され、該バックアイアンが円筒部と水平部とからなる断面視逆Ｌ字状であり、該空隙が該駆動用マグネットの端面側に位置する該水平部と該ロータの平面部との間に形
成されている請求項１に記載のモータ。
【請求項３】
該空隙が該ロータにおける平面部と円筒部とが連結される角部に該円筒部の一部を環状に窪ませることにより形成されている請求項１に記載のモータ。
【請求項４】
該ロータの円筒部と該駆動用マグネットとの間に磁性材からなる円筒状のバックアイアンが介在され、該バックアイアンが円筒部と水平部とからなる断面視逆Ｌ字状であり、該空隙が該水平部と該駆動用マグネットの端面との間に形成されている請求項１に記載のモータ。
【請求項５】
該空隙を形成する該駆動用マグネット側の壁面に、該伸張部の係合爪が係合しない切欠きが形成されている請求項１〜４に記載のモータ。
【請求項６】
該切欠きを規定する周縁を立ち上げてこの先端を水平に延出し該切欠きを覆う立上片を有する請求項５に記載のモータ。
【請求項７】
該モータが停止して該駆動用マグネットと該ステータとが磁気吸引して決まる停止状態において、該切欠きと該係合爪とが軸線上に一致しないように設定されている請求項５又は６に記載のモータ。
【請求項８】
回転軸を介して駆動用マグネットを備えたロータを回転自在に支持する軸受と、
該軸受を収容する有底の円筒部と、該円筒部の下部外壁面から中間部外壁面にかけて形成された大径部と、該中間部外壁面から上部外壁面にかけて該大径部より外径が小さい小径部と、該大径部から該円筒部の底部の裏側に通じる貫通孔と、該貫通孔の端部に形成された係止面と
、該貫通孔における該係止面に対応して軸線方向上方に向かって縮径する傾斜壁面とからなる軸受保持部材と、
該駆動用マグネットに対向するように該軸受保持部材に固定されるステータコアと、該ステータコアを被覆する絶縁部材と、該ステータコアに該絶縁部材の上から巻回するコイルとからなるステータと、を有し、
該絶縁部材は、弾性を有する材料からなり、該ステータコア端面の内周部から垂下し先端に半径方向内方に突出する係合爪を備える伸張部を有し、
該ステータが、該大径部と小径部との境界に形成される段部に載置されると共に、該係合爪が該係止面に係合して該軸受保持部材に固定されていることを特徴とするモータ。
【請求項９】
該軸受保持部材は、軸線方向に組み合わせてなる一対の金型によって射出成形されている請求項８に記載のモータ。
【請求項１０】
回転軸を介して駆動用マグネットを備えたロータを回転自在に支持する軸受と、
該軸受を保持する軸受保持部材と、
該駆動用マグネットに対向するように該軸受保持部材に固定されるステータコアと、該ステータコアを被覆する絶縁部材と、該ステータコアに該絶縁部材を介して巻回するコイルとからなるステータと、を有し、
該絶縁部材は、弾性を有する材料からなり該ステータコア端面の内周部に該軸受保持部材及び該軸受の端部を覆う伸張部を有していることを特徴とするモータ。
【請求項１１】
該軸受が含油性の滑り軸受であって、該伸張部の下面に該滑り軸受の上端面に当接する突起部を有している請求項１５に記載のモータ。
【手続補正２】
【補正対象書類名】明細書
【補正対象項目名】００２１
【補正方法】削除
【補正の内容】
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】変更
【補正の内容】
【００３０】
（２）また、本発明の別のモータは、回転軸を介して駆動用マグネットを備えたロータを回転自在に支持する軸受と、該軸受を収容する有底の円筒部と、該円筒部の下部外壁面から中間部外壁面にかけて形成された大径部と、該中間部外壁面から上部外壁面にかけて該大径部より外径が小さい小径部と、該大径部から該円筒部の底部の裏側に通じる貫通孔と、該貫通孔の端部に形成された係止面と、該貫通孔における該係止面に対応して軸線方向上方に向かって縮径する傾斜壁面とからなる軸受保持部材と、該駆動用マグネットに対向するように該軸受保持部材に固定されるステータコアと、該ステータコアを被覆する絶縁部材と、該ステータコアに該絶縁部材の上から巻回するコイルとからなるステータと、を有し、該絶縁部材は、弾性を有する材料からなり、該ステータコア端面の内周部から垂下し先端に半径方向内方に突出する係合爪を備える伸張部を有し、該ステータが、該大径部と小径部との境界に形成される段部に載置されると共に、該係合爪が該係止面に係合して該軸受保持部材に固定されていることを特徴とする。
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】変更
【補正の内容】
【００３４】
しかも、この構成では、ステータを軸受保持部材に小径部から大径部に向けて降下させて取り付ける際に、係合爪がその傾斜壁面に接触して傾斜壁面が拡径するとともに半径方向外方に付勢力が作用して、係合爪は弾性的に拡径して貫通孔に案内される。そして、係合爪が貫通孔に到達するとその付勢力は解除されて係止面を係止する。よって、係合爪に過大な応力を作用させることなく円滑にステータを軸受保持部材に固定することができる。
【手続補正１４】
【補正対象書類名】明細書
【補正対象項目名】００３５
【補正方法】変更
【補正の内容】
【００３５】
（３）更に、本発明の別のモータは、回転軸を介して駆動用マグネットを備えたロータを回転自在に支持する軸受と、該軸受を保持する軸受保持部材と、該駆動用マグネットに対向するように該軸受保持部材に固定されるステータコアと、該ステータコアを被覆する絶縁部材と、該ステータコアに該絶縁部材を介して巻回するコイルとからなるステータと、を有し、該絶縁部材は、弾性を有する材料からなり該ステータコア端面の内周部に該軸受保持部材及び該軸受の端部を覆う伸張部を有していることを特徴とする。
【手続補正１５】
【補正対象書類名】明細書
【補正対象項目名】００３９
【補正方法】削除
【補正の内容】
【手続補正１６】
【補正対象書類名】明細書
【補正対象項目名】００４０
【補正方法】削除
【補正の内容】
【手続補正１７】
【補正対象書類名】明細書
【補正対象項目名】００８０
【補正方法】削除
【補正の内容】
【手続補正１８】
【補正対象書類名】明細書
【補正対象項目名】００８１
【補正方法】削除
【補正の内容】
【手続補正１９】
【補正対象書類名】明細書
【補正対象項目名】００８２
【補正方法】削除
【補正の内容】
【手続補正２０】
【補正対象書類名】明細書
【補正対象項目名】００８３
【補正方法】削除
【補正の内容】
【手続補正２１】
【補正対象書類名】明細書
【補正対象項目名】００８４
【補正方法】変更
【補正の内容】
【００８４】
請求項８に係るモータでは、ステータを軸受保持部材に強固に固定することができ、しかも、軸受保持部材の構造が簡単になり射出成形する場合の金型が低コストで済む。また、ステータが外しやすい。さらに、係合爪に過大な応力を作用させることなく円滑にステータを軸受保持部材に固定することができる。
【手続補正２２】
【補正対象書類名】明細書
【補正対象項目名】００８５
【補正方法】削除
【補正の内容】
【手続補正２３】
【補正対象書類名】明細書
【補正対象項目名】００８６
【補正方法】変更
【補正の内容】
【００８６】
請求項９に係るモータでは、金型にかかるコストを低減できるため製品コストを抑えることができる。
【手続補正２４】
【補正対象書類名】明細書
【補正対象項目名】００８７
【補正方法】変更
【補正の内容】
【００８７】
請求項１０に係るモータでは、伸張部が軸受の上端部を覆うことにより、軸受から発生する潤滑油や摩耗粉等が軸受外部へ漏出するのを阻止できる。しかも伸張部がステータを構成する絶縁部材に形成されるため、部品点数の増加を招かないし、伸張部の配置はステータコアに絶縁部材を被覆すると同時に完了するので組立上の手間がかからない。
【手続補正２５】
【補正対象書類名】明細書
【補正対象項目名】００８８
【補正方法】変更
【補正の内容】
【００８８】
請求項１１に係るモータでは、滑り軸受の上端面に潤滑油が移動するのを阻止する遮断壁として作用し、滑り軸受の摺動面に潤滑油が減少するのを抑制できる。また、その突起部が滑り軸受の振動を抑えることができる。
【手続補正２６】
【補正対象書類名】明細書
【補正対象項目名】００８９
【補正方法】削除
【補正の内容】